(57)【特許請求の範囲】
【請求項１】
ＩＣカードを挿抜可能に支持するフレームと、このフレームに沿って往復動作可能に保持されてＩＣカード排出方向へ弾性付勢されたプッシュロッドと、挿着状態のＩＣカードのソケットコンタクトに接続される多数本のピンコンタクトとを有し、ＩＣカードが挿着されている状態で、所定の進入位置に保持された前記プッシュロッドに対する第１のプッシュ動作により該プッシュロッドが手前側へ移動するとともに、所定の突出位置に保持された前記プッシュロッドに対する第２のプッシュ動作により該プッシュロッドがＩＣカードを排出するようにしたＩＣカード用コネクタ装置において、
前記プッシュロッドの操作子に刻設されたハート型カム溝と、このハート型カム溝に沿って移動可能となるように前記フレームに直接もしくは間接に取り付けられ該カム溝の所定箇所に係止されると前記プッシュロッドを前記進入位置に保持する第１の伝達ピンと、前記フレームに刻設された循環型カム溝および逃げ溝と、前記第１および第２のプッシュ動作時に前記循環型カム溝に沿って移動可能となるように前記プッシュロッドに取り付けられ該カム溝の所定領域を移動中にＩＣカード排出部材を押圧可能な第２の伝達ピンとを備え、
前記第１のプッシュ動作により前記プッシュロッドが前記進入位置から第１の突出位置へ移動して保持されるとともに、該プッシュロッドが前記第１の突出位置にあるときに前記第２のプッシュ動作により前記第２の伝達ピンを介してＩＣカードの排出が行われるようになし、且つ、前記第１の突出位置にある前記プッシュロッドをプル動作によりさらに手前側へ突出した第２の突出位置へ移動可能とし、このプル動作に伴って前記第２の伝達ピンが前記循環型カム溝から前記逃げ溝へと移動するようになし、且つ、前記第２の突出位置にある前記プッシュロッドに対するプッシュ動作により前記第２の伝達ピンが前記逃げ溝に沿って前記循環型カム溝へと移動するように構成したことを特徴とするＩＣカード用コネクタ装置。
【請求項２】
前記ＩＣカード排出部材が、前記フレームに沿って往復動作可能に保持されてＩＣカードが挿着されると前記循環型カム溝内へ進出する駆動板であって、この駆動板を前記第２の伝達ピンが押し込むことでＩＣカードの排出が行われるようにしたことを特徴とする請求項１記載のＩＣカード用コネクタ装置。
【請求項３】
前記第２の突出位置にある前記プッシュロッドに対する前記プッシュ動作時に、前記第２の伝達ピンを前記逃げ溝に沿って移動させることにより、該伝達ピンが前記駆動板に当接しない経路で前記循環型カム溝へ戻るようにしたことを特徴とする請求項２記載のＩＣカード用コネクタ装置。
【発明の詳細な説明】
【０００１】
【発明の属する技術分野】
本発明は、ＩＣカードを挿抜して使用される機器に装備されるＩＣカード用コネクタ装置に係り、特に、挿着状態にあるＩＣカードを排出させるためのイジェクト機構に関する。
【０００２】
【従来の技術】
ＩＣカード用コネクタ装置は通常、ＩＣカード内のソケットコンタクトに接続させるための多数本のピンコンタクトをピンハウジングに配設してなるピンヘッダ部や、挿抜時のＩＣカードをガイドするフレームや、挿着状態のＩＣカードをピンコンタクトから離脱させるためのイジェクト機構部等を備えて概略構成されており、ピンハウジングとフレームを一体成形品としたものも知られている。
【０００３】
従来より、前記イジェクト機構部を、フレームの外側面に保持されてＩＣカード挿抜方向に沿って往復動作可能なプッシュロッドと、フレームもしくはピンハウジングに回動自在に支承されたイジェクトレバーとで構成し、このイジェクトレバーの一端部をプッシュロッドに係合させたものが広く採用されている。このようなイジェクト機構部を備えたコネクタ装置にあっては、ＩＣカードが挿着されている状態でプッシュロッドを押し込むと、このプッシュロッドに連動して回転するイジェクトレバーの爪部が該ＩＣカードを手前側へ押圧し、手指で簡単に抜き取れる位置まで該ＩＣカードを排出方向へ移動させることができるが、ＩＣカードが挿着されているときにプッシュロッドが手前側に突出しているため、このプッシュロッドが誤操作されたり衝撃を受けるなどしてＩＣカードが予期せずイジェクトされてしまう危険性があり、その場合、ＩＣカードの接続が遮断されて作動データ消失等のトラブルが発生する。
【０００４】
これに対し、実開平６−１３０７２号公報に開示されたＩＣカード用コネクタ装置は、プッシュロッドとスライドプレート間をリンク結合する第１および第２の伝達レバーと、第１の伝達レバーに軸支されて第２の伝達レバーと係脱可能な第３の伝達レバーと、プッシュロッドを所定の進入位置と第１の突出位置とに保持可能なハート型カム機構とを備えており、プッシュロッドの突出量に応じて該プッシュロッドの押し込み力がスライドプレートへ選択的に伝達されるように構成されている。すなわち、ＩＣカードが挿着されている状態で、第３の伝達レバーは第２の伝達レバーと係合しておらず、プッシュロッドは所定量押し込まれた進入位置に保持されているが、プッシュロッドをハート型カム機構によって第１の突出位置まで突出させた後、さらに手前の第２の突出位置まで引くと、この第２の突出位置で第３の伝達レバーが第２の伝達レバーに係合するため、この状態でプッシュロッドを進入位置へ向けて押し込むと、その押し込み力が各伝達レバーを介してスライドプレートに伝達され、このスライドプレートがＩＣカードを手前側に押圧して排出できるようになっている。したがって、このＩＣカード用コネクタ装置は、ＩＣカードの接続中はプッシュロッドを手前側に突出していない進入位置に保持しておき、ＩＣカードの排出時のみプッシュロッドを第２の突出位置まで突出させてから押し込み操作すればよく、プッシュロッドの誤操作等に起因するＩＣカードの接続遮断事故を防止することができる。
【０００５】
【発明が解決しようとする課題】
このように上記公報に開示されたＩＣカード用コネクタ装置は、ＩＣカードの接続中はプッシュロッドを所定の進入位置に保持しておくことができるので、プッシュロッドが誤操作されたり押し込み方向への衝撃を受けた場合に懸念されるＩＣカードの接続遮断事故を防止することができる。また、このＩＣカード用コネクタ装置では、ＩＣカードの排出時にはプッシュロッドを第２の突出位置まで突出させる必要があり、ＩＣカードの排出を要望していないのに拘らずプッシュロッドを誤って第１の突出位置まで突出させてしまった場合は、そのプッシュロッドを第２の突出位置まで引かずに第１の突出位置から押し込むことにより、ＩＣカードを排出させることなくプッシュロッドを再び進入位置に戻せるようになっている。このように構成されていると、例えば２枚対応のＩＣカード用コネクタ装置において上段側のプッシュロッドを押し込むつもりが下段側のプッシュロッドを押し込んでしまった場合のような一瞬の操作ミスが大事に至らず、安心してイジェクト操作を行うことができる。
【０００６】
しかしながら、かかる従来のＩＣカード用コネクタ装置は、プッシュロッドとスライドプレートとの間にリンク結合された３つの伝達レバーを介設し、これら各伝達レバーの姿勢に応じてプッシュロッドの押し込み力をスライドプレートへ伝達または遮断するようになっているため、各伝達レバーを回動させる広いスペースが必要となり、ＩＣカード用コネクタ装置の小型化が妨げられるという問題がある。また、このような理由から各伝達レバーは必然的にＩＣカード挿入口の天面または底面側に配置せざるを得ず、特に、２枚以上のＩＣカードが挿抜可能な複数枚対応のＩＣカード用コネクタ装置の場合、複数組の各伝達レバーを十分なスペースを確保して上下方向に積層しなければならないため、ＩＣカード用コネクタ装置が高さ方向にも大型化するという問題が発生する。さらに、かかる従来のＩＣカード用コネクタ装置では、通常のイジェクト時に、進入位置に保持されたプッシュロッドを押し込んで第１の突出位置まで突出させる操作と、第１の突出位置にあるプッシュロッドを第２の突出位置まで引き出す操作と、第２の突出位置まで突出させたプッシュロッドを進入位置へ押し込む操作という３回の操作を必要とするため、イジェクト時の操作が煩雑になるという問題がある。しかも、このようにプッシュロッドを第１の突出位置を経て第２の突出位置まで突出させてからＩＣカード排出動作を行わせるようになっている関係上、プッシュロッドを突出させる操作が連続的に行われやすく、それゆえプッシュロッドを第２の突出位置まで誤って突出させてしまって、ＩＣカードを排出せずにプッシュロッドを元の位置に戻すことができなくなってしまう心配もある。
【０００７】
【課題を解決するための手段】
本発明は、ハート型カム機構により所定の進入位置に保持されたプッシュロッドを押し込むと、該プッシュロッドが手前側へ移動して第１の突出位置に保持されるとともに、この第１の突出位置にあるプッシュロッドを押し込むと、循環型カム溝に係合する伝達ピンを介して該プッシュロッドがＩＣカードを排出するようになし、また、プッシュロッドを第１の突出位置から手前へ引いてさらに突出した第２の突出位置に移動させると前記伝達ピンが前記循環型カム溝から逃げ溝へと移動するようになすことで、この第２の突出位置にあるプッシュロッドを押し込んだ場合には該伝達ピンが該逃げ溝に沿って移動するようにした。
【０００８】
このようなＩＣカード用コネクタ装置は、所定の進入位置に保持されているプッシュロッドを押し込んで第１の突出位置に突出させた後、この第１の突出位置で該プッシュロッドを押し込むという２回の操作により、循環型カム溝に沿って移動する伝達ピンを介して挿着状態のＩＣカードが排出できるので、通常の使用形態であるイジェクト時の操作を簡単に行うことができる。また、イジェクトのように通常行われる操作ではないので頻度は少ないが、万一、ＩＣカードの排出を要望していないのに拘らずプッシュロッドを誤って押し込んで進入位置から突出させてしまった場合には、その突出位置（第１の突出位置）からプッシュロッドを手前へ引いて第２の突出位置まで突出させた後、この第２の突出位置でプッシュロッドを押し込めば、前記伝達ピンを逃げ溝に沿って移動させて循環型カム溝に戻すことにより、ＩＣカードの排出動作をキャンセルしつつプッシュロッドを前記進入位置に戻すことができる。
【０００９】
【発明の実施の形態】
本発明では、ＩＣカードを挿抜可能に支持するフレームと、このフレームに沿って往復動作可能に保持されてＩＣカード排出方向へ弾性付勢されたプッシュロッドと、挿着状態のＩＣカードのソケットコンタクトに接続される多数本のピンコンタクトとを有し、ＩＣカードが挿着されている状態で、所定の進入位置に保持された前記プッシュロッドに対する第１のプッシュ動作により該プッシュロッドが手前側へ移動するとともに、所定の突出位置に保持された前記プッシュロッドに対する第２のプッシュ動作により該プッシュロッドがＩＣカードを排出するようにしたＩＣカード用コネクタ装置において、前記プッシュロッドの操作子に刻設されたハート型カム溝と、このハート型カム溝に沿って移動可能となるように前記フレームに直接もしくは間接に取り付けられ該カム溝の所定箇所に係止されると前記プッシュロッドを前記進入位置に保持する第１の伝達ピンと、前記フレームに刻設された循環型カム溝および逃げ溝と、前記第１および第２のプッシュ動作時に前記循環型カム溝に沿って移動可能となるように前記プッシュロッドに取り付けられ該カム溝の所定領域を移動中にＩＣカード排出部材を押圧可能な第２の伝達ピンとを備え、前記第１のプッシュ動作により前記プッシュロッドが前記進入位置から第１の突出位置へ移動して保持されるとともに、該プッシュロッドが前記第１の突出位置にあるときに前記第２のプッシュ動作により前記第２の伝達ピンを介してＩＣカードの排出が行われるようになし、且つ、前記第１の突出位置にある前記プッシュロッドをプル動作によりさらに手前側へ突出した第２の突出位置へ移動可能とし、このプル動作に伴って前記第２の伝達ピンが前記循環型カム溝から前記逃げ溝へと移動するようになし、且つ、前記第２の突出位置にある前記プッシュロッドに対するプッシュ動作により前記第２の伝達ピンが前記逃げ溝に沿って前記循環型カム溝へと移動するようにした。
【００１０】
このように構成されるＩＣカード用コネクタ装置は、ハート型カム溝の所定箇所に第１の伝達ピンを係止させることでプッシュロッドを所定の進入位置に保持することができるとともに、この進入位置にあるプッシュロッドに対する第１のプッシュ動作により、ＩＣカード排出方向へ弾性付勢されているプッシュロッドを第１の突出位置へ移動させて保持状態となすことができる。また、この第１の突出位置にあるプッシュロッドに対する第２のプッシュ動作により、循環型カム溝に沿って移動する第２の伝達ピンを介して挿着状態のＩＣカードを排出することができる。したがって、通常の使用形態であるイジェクト時の操作を２回のプッシュ動作で簡単に行うことができる。また、万一、ＩＣカードの排出を要望していないのに拘らずプッシュロッドを誤って押し込んで進入位置から突出させてしまった場合には、その突出位置（第１の突出位置）からプッシュロッドを手前へ引いて第２の突出位置まで突出させれば、第２の伝達ピンが循環型カム溝から逃げ溝へと移動するので、この第２の突出位置にあるプッシュロッドに対するプッシュ動作により、第２の伝達ピンを逃げ溝に沿って移動させて循環型カム溝に戻すことができ、同時に第１の伝達ピンをハート型カム溝の前記所定箇所に戻すことができるので、ＩＣカードの排出動作をキャンセルしつつプッシュロッドを進入位置に戻すことができる。つまり、このＩＣカード用コネクタ装置は、プッシュロッドが誤操作されたり押し込み方向への衝撃を受けた場合に懸念されるＩＣカードの接続遮断事故が防止できるのみならず、イジェクト時の操作性が良好で、且つプッシュロッドが誤操作されても誤操作前の状態に容易に復帰させることができる。しかも、ハート型カム溝をプッシュロッドの操作子に設けて循環型カム溝および逃げ溝をフレームに設けることにより、イジェクト機構をプッシュロッドやフレームに集約的に配設することができるので、ＩＣカード用コネクタ装置の小型化が促進でき、特に複数枚対応のＩＣカード用コネクタ装置に適用した場合に好適となる。
【００１１】
例えば、前記ＩＣカード排出部材として、前記フレームに沿って往復動作可能に保持されてＩＣカードが挿着されると前記循環型カム溝内へ進出する駆動板を用い、この駆動板を前記第２の伝達ピンが押し込むことでＩＣカードの排出が行われるようにすればよい。また、前記第２の突出位置にある前記プッシュロッドに対する前記プッシュ動作時に、前記第２の伝達ピンを前記逃げ溝に沿って移動させることにより、該伝達ピンが前記駆動板に当接しない経路で前記循環型カム溝へ戻るようにすればよい。
【００１２】
【実施例】
実施例について図面を参照して説明すると、図１は実施例に係るＩＣカード用コネクタ装置の平面図、図２は該コネクタ装置に備えられるイジェクト機構の側面図、図３は該イジェクト機構の分解平面図、図４は図３中に示すフレームの側面図、図５は図３中に示すプッシュロッドの分解側面図、図６は図３中に示す駆動板の側面図、図７は図３中に示す第１および第２の押えバネの側面図、図８は図４中に示す循環型カム溝および逃げ溝の詳細な形状と各カム面の高さを示す説明図、図９は図５中に示すハート形カム溝の詳細な形状と各カム面の高さを示す説明図、図１０は該イジェクト機構における通常のＩＣカード排出動作を示す説明図、図１１は該イジェクト機構における誤操作キャンセル動作を示す説明図、図１２は該イジェクト機構におけるプッシュロッドの位置と各カム機構との関係を示す説明図である。
【００１３】
図１〜図３に示すように、本実施例に係るＩＣカード用コネクタ装置は、ＩＣカード（図示せず）内のソケットコンタクトに接続させるための多数本のピンコンタクト１（図１中ではその端子部を示している）を所定の配列で圧入固定してなるピンハウジング２と、このピンハウジング２の左右両側に固定され、挿抜時のＩＣカードを幅方向両側からガイド溝３ａに沿ってガイドする一対のフレーム３と、一方のフレーム３に取着されたプッシュロッド４と、ピンハウジング２に軸支されたイジェクトアーム５と第１および第２の回動アーム６，７等によって主に構成されており、プッシュロッド４とイジェクトアーム５間に後述するイジェクト機構が介設されている。
【００１４】
前記ピンハウジング２には所定の間隔を存して第１の支軸８と第２の支軸９が設けられており、第１の支軸８にイジェクトアーム５の一端が回動自在に支承されている。このイジェクトアーム５には連結孔５ａと係合部５ｂが形成されており、係合部５ｂは一方のフレーム３の側方へ突出している。第１の回動アーム６も第１の支軸８に回動自在に支承されており、この回動アーム６にはＩＣカードを押し出すための爪片６ａと、イジェクトアーム５の連結孔５ａ内に突出する舌片６ｂとが形成されている。一方、第２の回動アーム７は第２の支軸９に回動自在に支承されており、この回動アーム７にはＩＣカードを押し出すための爪片７ａと、イジェクトアーム５の連結孔５ａ内に突出する舌片７ｂとが形成されている。
【００１５】
前記イジェクト機構の構成について詳述すると、図４に示すように、前記フレーム３の外側面には一対のガイド突部３ｂ，３ｃが設けられており、これらガイド突部３ｂ，３ｃの間に循環型カム溝１１および逃げ溝１２が刻設されている。これらの循環型カム溝１１および逃げ溝１２は図８に示すように、高さの異なる複数のカム面を有し、カム面Ｄ３，Ｃ３，Ｂ２，……，Ｋ，Ｅ３，Ｄ３と循環する溝経路が循環型カム溝１１であり、カム面Ｃ２からカム面Ｊ，Ｅ２を経てカム面Ａ２へ至る溝経路が逃げ溝１２なので、カム溝１１と逃げ溝１２は共通するカム面Ａ２，Ｌ，Ｄ２を有することになる。また、図５に示すように、プッシュロッド４の一端には操作子となる摘み１４が取り付けられており、この摘み１４の内側面にハート型カム溝１０が刻設されている。このハート型カム溝１０も図９に示すように高さの異なる複数のカム面を有し、カム面ｃ１，ｂ１，ａ，……，ｍ，ｄ，ｃ１と循環する溝経路からなる。このプッシュロッド４はフレーム３の前記ガイド突部３ｂ，３ｃと係合しているので、ＩＣカード挿抜方向に沿って往復移動できるように該フレーム３に保持されている。すなわち、このプッシュロッド４は、図３，５に示すように、摘み１４の内側部に形成されている係止爪１４ａ上の隙間にガイド突部３ｃが挿入されて係合しているとともに、摘み１４側とは逆側に形成されているガイド孔４ａにガイド突部３ｂが挿入されて係合している。なお、このプッシュロッド４には図５に示すように、後述する伝達ピン用の取付孔４ｂ、逃げ孔４ｃおよび搭載部４ｄや、摘み１４を取り付けるための突起４ｅや、後述する押えばね用の突起４ｆや、コイルばね１７の一端部を係止するためのフック４ｇ等が設けられており、該フック４ｇとフレーム３に設けられたフック３ｄとの間に張架されたコイルばね１７によってプッシュロッド４は手前側（ＩＣカード排出方向）へ弾性付勢されている。また、フレーム３のガイド突部３ｃの近傍には、プッシュロッド４の前記係止爪１４ａを係脱させるための係合突起３ｅが設けられている。
【００１６】
また、図２，６に示すように、前記ガイド突部３ｂが挿入されるガイド孔１３ａを設けた駆動板１３が、フレーム３の外側面に往復移動できるように保持されており、この駆動板１３の上からプッシュロッド４が組み込まれている。駆動板１３にはその一端部に受部１３ｂが突設されているとともに、他端部に係合孔１３ｃが穿設されている。この受部１３ｂは、フレーム３に形成されている循環型カム溝１１のカム面Ｃ３やカム面Ｄ３と重なり合う位置まで移動することが可能であり、また、係合孔１３ｃには前記イジェクトアーム５の係合部５ｂが係合している。
【００１７】
さらに、このイジェクト機構には、図３に示すように、フレーム３に設けられた取付穴３ｆに一端部１５ａが挿入されて軸支され他端部１５ｂが前記ハート型カム溝１０に係合している第１の伝達ピン１５と、この伝達ピン１５の端部１５ｂをハート型カム溝１０に向けて弾性付勢し該カム溝１０からの脱落を防止している第１の押えばね１８と、一端部１６ａがプッシュロッド４の取付孔４ｂに挿入されて軸支され他端部１６ｂが逃げ孔４ｃを貫通して前記循環型カム溝１１および逃げ溝１２と係合している第２の伝達ピン１６と、この伝達ピン１６の端部１６ｂをフレーム３に向けて弾性付勢しカム溝１１や逃げ溝１２からの脱落を防止している第２の押えばね１９とが具備されている。すなわち、プッシュロッド４がフレーム３に対して往復移動するのに伴い、該フレーム３に軸支されている第１の伝達ピン１５の端部１５ｂがハート型カム溝１０に沿って移動するとともに、該プッシュロッド４に軸支されている第２の伝達ピン１６の端部１６ｂが循環型カム溝１１や逃げ溝１２に沿って移動するようになっている。そして、第１の伝達ピン１５の端部１５ｂをハート型カム溝１０のカム面ｂ１上に位置させて操作力が付与されていなければ、前記コイルばね１７に付勢されるプッシュロッド４が該伝達ピン１５によって係止され、また、循環型カム溝１１のカム面Ｄ３上で駆動板１３の受部１３ｂと第２の伝達ピン１６の端部１６ｂとが対峙しているときプッシュロッド４を押し込むと、該端部１６ｂが駆動板１３を押圧駆動するように設定してある。なお、図３，７に示すように、第１の押えばね１８はその取付孔１８ａに第１の伝達ピン１５の端部１５ａを挿通して位置決めされた状態でフレーム３に取り付けられており、第２の押えばね１９はその取付孔１９ａに前記突起４ｆを挿通して位置決めされた状態で一対の爪片１９ｂによりプッシュロッド４に取り付けられている。また、第２の伝達ピン１６は一端部１６ａに近い側がプッシュロッド４の前記搭載部４ｄ上に搭載された状態で他端部１６ｂに近い側が第２の押えばね１９に弾性付勢されているので、この伝達ピン１６は支点となる搭載部４ｄ上で摺動しながら循環型カム溝１１や逃げ溝１２に沿って移動する。
【００１８】
上述したカム機構についてさらに詳しく述べると、プッシュロッド４の往復動作に連動して第１の伝達ピン１５の端部１５ｂはハート型カム溝１０の各カム面を図９Ａの矢印で示す方向に沿ってトレースし、端部１５ｂがカム面ｂ１上で係止されているとき、プッシュロッド４は図１２Ｂに示す所定の進入位置に保持されている。そして、端部１５ｂがカム面ａ，ｎを経てカム面ｂ２へ移行し、摘み１４の前記係止爪１４ａがフレーム３の前記係合突起３ｅに係止された時点で、プッシュロッド４は図１２Ｃに示す第１の突出位置に保持される。また、図１２Ｄに示すように、摘み１４の係止爪１４ａとフレーム３の係合突起３ｅとの係合力に抗してプッシュロッド４を第１の突出位置からさらに手前側の第２の突出位置まで移動させることができるが、この第２の突出位置よりも手前側へは移動しないようにプッシュロッド４は位置規制されている。一方、プッシュロッド４の往復動作に連動して第２の伝達ピン１６の端部１６ｂは、循環型カム溝１１もしくは逃げ溝１２の各カム面を図８Ａの実践矢印もしくは破線矢印で示す方向に沿って選択的にトレースし、この選択は、プッシュロッド４を第１の突出位置から第２の突出位置まで移動させたか否か、換言するなら第２の伝達ピン１６の端部１６ｂを循環型カム溝１１のカム面Ｄ３から逃げ溝１２のカム面Ｃ２へ移行させたか否かに応じて決定される。
【００１９】
このように構成されたＩＣカード用コネクタ装置において、始めに、ＩＣカードの挿着後にこれを排出する通常のイジェクト動作モードについて、主に図８〜１０および図１２を参照しつつ説明する。まず、ＩＣカードが挿着されていない場合、プッシュロッド４は図１２Ｂに示す所定の進入位置に保持されている。このとき、図１０Ａに示すように、第１の伝達ピン１５の端部１５ｂはハート型カム溝１０のカム面ｂ１上で係止されているので、プッシュロッド４はコイルばね１７の引っ張り力と該伝達ピン１５とにより進入位置に安定的に保持されており、また、第２の伝達ピン１６の端部１６ｂは循環型カム溝１１のカム面Ｂ２上に位置している。
【００２０】
そして、ＩＣカードをフレーム３のガイド溝３ａに沿って挿入していくと、ピンハウジング２へ向かうＩＣカードが第１および第２の回動アーム６，７の爪片６ａ，７ａを押し込みながら、自身のソケットコンタクトにピンハウジング２のピンコンタクト１を圧入させていくので、コネクタ装置に所定量挿入することによりＩＣカードを各ピンコンタクト１と確実に接続させることができて、図１０Ｂに示す挿着完了状態となる。その際、第１の回動アーム６と第２の回動アーム７はそれぞれ第１の支軸８と第２の支軸９を回転軸として互いに逆向きに回転し、これら回動アーム６，７の回転が舌片６ｂ，７ｂを介してイジェクトアーム５へ伝達されるので、イジェクトアーム５は第１の支軸８を回転軸として回転し、それに連動して駆動板１３がフレーム３に沿って手前側へ移動する。これにより、駆動板１３の受部１３ｂが循環型カム溝１１のカム面Ｄ３上を移動し、受部１３ｂの傾斜面が第２の伝達ピン１６の端部１６ｂを循環型カム溝１１のカム面Ｂ２からカム面Ａ２へと移動させるが、第１の伝達ピン１５の端部１５ｂはハート型カム溝１０のカム面ｂ１と係止したままなので、ＩＣカードの接続中、プッシュロッド４は前記進入位置に保持されたままの状態が維持される。
【００２１】
この状態からＩＣカードを排出させるには、まず、図１０Ｃに示すように、進入位置に保持されているプッシュロッド４をさらに進入方向（ＩＣカード挿入方向）へ押し込み、第１の伝達ピン１５の端部１５ｂをハート型カム溝１０のカム面ｂ１から離脱させてカム面ａへ移行させた後、押し込み力を除去することにより、係止解除されたプッシュロッド４をコイルばね１７の引っ張り力で手前側（ＩＣカード排出方向）へ所定量移動させる。その際、図１０Ｄに示すように、プッシュロッド４の移動に伴い第１の伝達ピン１５の端部１５ｂはハート型カム溝１０のカム面ｎ，ｃ２を経てカム面ｂ２へと移行し、また、図１２Ｃに示すように、プッシュロッド４はその係止爪１４ａがフレーム３の係合突起３ｅに係止された時点で手前側への移動が規制されるため、プッシュロッド４は第１の突出位置まで突出して停止する。また、こうしてプッシュロッド４が第１の突出位置まで移動する過程で、第２の伝達ピン１６の端部１６ｂは循環型カム溝１１のカム面Ａ２からカム面Ｌ，Ｄ２，Ｋ，Ｅ３を経てカム面Ｄ３へと移行するため、図１０Ｄに示すように、カム面Ｄ３内で第２の伝達ピン１６の端部１６ｂと駆動板１３の受部１３ｂとが対峙することになる。
【００２２】
このようにプッシュロッド４を第１の突出位置まで突出させた後、その摘み１４を進入方向へ押し込むと、図１０Ｅ〜図１０Ｇに示すように、第１の伝達ピン１５の端部１５ｂがハート型カム溝１０のカム面ｂ２からカム面ｍ，ｄを経てカム面ｃ１へ移行するので、図１２Ａに示すフルストロークの状態で押し込み力を除去することにより、図１０Ｈおよび図１２Ｂに示すように、第１の伝達ピン１５の端部１５ｂがハート型カム溝１０のカム面ｂ１上で係止されることになって、プッシュロッド４は再び前記進入位置に保持される。その際、第２の伝達ピン１６の端部１６ｂは循環型カム溝１１のカム面Ｄ３からカム面Ｃ３を経てカム面Ｂ２に移行するが、この移行過程で該端部１６ｂが駆動板１３の受部１３ｂを押圧駆動するため、駆動板１３に係合されているイジェクトアーム５が回転し、その回転に伴って第１および第２の回動アーム６，７の爪片６ａ，７ａがＩＣカードの前面両端部を離脱方向へほぼまっすぐに押圧する。その結果、ＩＣカードは排出方向へ若干量押し出されて、そのソケットコンタクトに対するピンコンタクト１の圧入が解除されるので、この状態でＩＣカードの手前側を手指でつまんで引き抜くことにより、該ＩＣカードをコネクタ装置から簡単に排出させることができる。
【００２３】
次に、ＩＣカードの挿着後に誤ってプッシュロッド４を突出させてしまうという誤操作が行われた際に必要となるキャンセル動作モードについて、主に図８，９および図１１，１２を参照しつつ説明する。ここで、図１１Ａは、図１０Ｂと同様に、ＩＣカードが挿着されていてプッシュロッド４が所定の進入位置に保持されている状態を示しており、この状態で、ＩＣカードの排出を要望していないのにプッシュロッド４を誤って押し込み操作してしまった場合、前述したようにプッシュロッド４は第１の突出位置まで突出し、図１１Ｂおよび図１２Ｃに示すように、循環型カム溝１１のカム面Ｄ３内で第２の伝達ピン１６の端部１６ａと駆動板１３の受部１３ｂとが対峙して、第１の伝達ピン１５の端部１５ｂはハート型カム溝１０のカム面ｂ２へと移行する。
【００２４】
この状態からプッシュロッド４を第１の突出位置でさらに手前へ引っ張り、図１２Ｄに示す第２の突出位置まで突出させると、図１１Ｃに示すように、第１の伝達ピン１５の端部１５ｂはハート型カム溝１０のカム面ｂ２内に留まるが、第２の伝達ピン１６の端部１６ｂは循環型カム溝１１のカム面Ｄ３から逃げ溝１２のカム面Ｃ２へと移行する。そして、この第２の突出位置からプッシュロッド４の摘み１４を進入方向へ押し込むと、図１１Ｄ〜図１１Ｇに示すように、第１の伝達ピン１５の端部１５ｂはハート型カム溝１０のカム面ｂ２からカム面ｍ，ｄ，ｃ１を経てカム面ｂ１へと移行し係止されるため、プッシュロッド４は再び進入位置に保持されることになるが、第２の伝達ピン１６の端部１６ｂは逃げ溝１２のカム面Ｃ２からカム面Ｊ，Ｅ２，Ｄ２，Ｌを経てカム面Ａ２へと移行するので、この移行過程で該端部１６ｂは駆動板１３の受部１３ｂを押圧駆動せず、それゆえイジェクトアーム５は回転駆動されず、ＩＣカードは挿着状態に維持されたままとなる。つまり、プッシュロッド４を誤って第１の突出位置まで突出させてしまったときには、該プッシュロッド４を第２の突出位置まで引き出してから押し込むことにより図１１Ｇの状態とすることができ、これは図１０Ｂや図１１Ａと全く同じ状態であるから、ＩＣカードの接続を解除せずに誤操作前の状態に戻ったことになる。したがって、この後、前述した通常のイジェクト動作モードにおける図１０Ｃ〜図１０Ｈと同様の動作が支障なく行える。
【００２５】
このように本実施例においては、ＩＣカードが挿着されているとき、第１のプッシュ動作でプッシュロッド４を第１の突出位置まで突出させてから、第２のプッシュ動作で該プッシュロッド４を進入方向へ押し込めば、その押し込み力が循環型カム溝１１内をトレースする第２の伝達ピン１６を介して駆動板１３に伝達されて、ＩＣカードの排出が行えるように構成されているので、プッシュロッド４を誤って押し込んだり衝撃を加えてしまった場合にもＩＣカードの接続が遮断されるという事故は起こりにくい。また、例えば上下２段に配置されたイジェクト機構の一方のプッシュロッドを操作する際に他方のプッシュロッドを誤操作してしまった場合のように、ＩＣカードの排出を要望していないのに誤ってプッシュロッド４を第１の突出位置まで突出させてしまった場合には、このプッシュロッド４を第１の突出位置から第２の突出位置まで引き出してから進入方向へ押し込めば、第２の伝達ピン１６が循環型カム溝１１内の通常の経路から外れて逃げ溝１２内をトレースし、該伝達ピン１６による駆動板１３の押圧駆動を行わずに誤操作前の状態に戻れるように構成されているので、ＩＣカードの排出動作をキャンセルして挿着状態を維持することができる。
【００２６】
なお、上述した実施例では１枚のＩＣカードが挿着可能なコネクタ装置を例示して説明したが、本発明は２枚以上のＩＣカードが挿着可能なコネクタ装置にも同様に適用することができる。
【００２７】
【発明の効果】
本発明は、以上説明したような形態で実施され、以下に記載されるような効果を奏する。
【００２８】
ハート型カム溝の所定箇所に第１の伝達ピンを係止させることでプッシュロッドを所定の進入位置に保持することができるとともに、この進入位置にあるプッシュロッドに対する第１のプッシュ動作により、ＩＣカード排出方向へ弾性付勢されているプッシュロッドを第１の突出位置へ移動させて保持状態となすことができる。また、この第１の突出位置にあるプッシュロッドに対する第２のプッシュ動作により、循環型カム溝に沿って移動する第２の伝達ピンを介して挿着状態のＩＣカードを排出することができる。したがって、通常の使用形態であるイジェクト時の操作を２回のプッシュ動作で簡単に行うことができる。また、万一、ＩＣカードの排出を要望していないのに拘らずプッシュロッドを誤って押し込んで進入位置から突出させてしまった場合には、その突出位置（第１の突出位置）からプッシュロッドを手前へ引いて第２の突出位置まで突出させれば、第２の伝達ピンが循環型カム溝から逃げ溝へと移動するので、この第２の突出位置にあるプッシュロッドに対するプッシュ動作により、第２の伝達ピンを逃げ溝に沿って移動させて循環型カム溝に戻すことができ、同時に第１の伝達ピンをハート型カム溝の前記所定箇所に戻すことができるので、ＩＣカードの排出動作をキャンセルしつつプッシュロッドを進入位置に戻すことができる。つまり、このコネクタ装置は、プッシュロッドが誤操作されたり押し込み方向への衝撃を受けた場合に懸念されるＩＣカードの接続遮断事故が防止できるのみならず、イジェクト時の操作性が良好で、且つプッシュロッドが誤操作されても誤操作前の状態に容易に復帰させることができる。しかも、ハート型カム溝をプッシュロッドの操作子に設けて循環型カム溝および逃げ溝をフレームに設けることにより、イジェクト機構をプッシュロッドやフレームに集約的に配設することができるので、ＩＣカード用コネクタ装置の小型化が促進でき、特に複数枚対応のＩＣカード用コネクタ装置に適用した場合に好適となる。
【００２９】
また、フレームに沿って往復動作可能に保持されてＩＣカードが挿着されると前記循環型カム溝内へ進出する駆動板を用い、この駆動板を前記第２の伝達ピンが押し込むことでＩＣカードの排出が行われるようにすれば好ましい。そして、前記第２の突出位置にあるプッシュロッドに対するプッシュ動作時に、前記第２の伝達ピンを前記逃げ溝に沿って移動させることにより、該伝達ピンが前記駆動板に当接しない経路で前記循環型カム溝へ戻るようにすれば好ましい。
【図面の簡単な説明】
【図１】本実施例に係るＩＣカード用コネクタ装置の平面図である。
【図２】該コネクタ装置に備えられるイジェクト機構の側面図である。
【図３】該イジェクト機構の分解平面図である。
【図４】図３中に示すフレームの側面図である。
【図５】図３中に示すプッシュロッドの分解側面図である。
【図６】図３中に示す駆動板の側面図である。
【図７】図３中に示す第１および第２の押えバネの側面図である。
【図８】図４中に示す循環型カム溝および逃げ溝の詳細な形状と各カム面の高さを示す説明図である。
【図９】図５中に示すハート形カム溝の詳細な形状と各カム面の高さを示す説明図である。
【図１０】該イジェクト機構における通常のＩＣカード排出動作を示す説明図である。
【図１１】該イジェクト機構における誤操作キャンセル動作を示す説明図である。
【図１２】該イジェクト機構におけるプッシュロッドの位置と各カム機構との関係を示す説明図である。
【符号の説明】
１  ピンコンタクト
２  ピンハウジング
３  フレーム
３ａ  ガイド溝
３ｂ，３ｃ  ガイド突部
３ｅ  係合突起
４  プッシュロッド
４ａ  ガイド孔
５  イジェクトアーム
６  第１の回動アーム
７  第２の回動アーム
１０  ハート型カム溝
１１  循環型カム溝
１２  逃げ溝
１３  駆動板
１３ｂ  受部
１４  摘み
１４ａ  係止爪
１５  第１の伝達ピン
１５ａ，１５ｂ  端部
１６  第２の伝達ピン
１６ａ，１６ｂ  端部
１７  コイルばね
１８，１９  押えばね
【図１】
0003556090.tif 000002
【図２】
0003556090.tif 000003
【図３】
0003556090.tif 000004
【図４】
0003556090.tif 000005
【図５】
0003556090.tif 000006
【図６】
0003556090.tif 000007
【図７】
0003556090.tif 000008
【図８】
0003556090.tif 000009
【図９】
0003556090.tif 000010
【図１０】
0003556090.tif 000011
【図１１】
0003556090.tif 000012
【図１２】
0003556090.tif 000013